(57)【要約】【課題】作業性を向上させた照明器具を提供する。【解決手段】照明器具Ａは、器具本体１と、器具本体１に対して着脱自在に取り付けられる光源ユニット２とを備える。光源ユニット２は、複数のＬＥＤ２２２が実装されたＬＥＤ基板２２と、ＬＥＤ基板２２を器具本体１に取り付けるための取付部材２１と、複数のＬＥＤ２２２に点灯電力を供給する電源装置２４とを有する。取付部材２１は、長尺且つ矩形板状に形成された底面部２１１と、底面部２１１の幅方向における両側から底面部２１１と直交する方向に突出する一対の側面部２１２とで形成される。そして、一方の側面部２１２の外表面には凸部２１２ｂが設けられており、凸部２１２ｂの裏側には少なくとも電源装置２４に接続された電線４００が配置される溝２１２ｄが設けられている。【選択図】図１
2014078427.tif 000002
【特許請求の範囲】
【請求項１】
長尺状に形成された器具本体と、前記器具本体に対して着脱自在に取り付けられる光源ユニットとを備え、
前記光源ユニットは、複数のＬＥＤが実装されたＬＥＤ基板と、前記複数のＬＥＤが前記器具本体と反対側を向くようにして前記ＬＥＤ基板を前記器具本体に取り付けるための取付部材と、前記複数のＬＥＤに点灯電力を供給する電源装置とを有し、
前記取付部材は、長尺且つ矩形板状に形成され一面に前記ＬＥＤ基板が取り付けられる底面部と、前記底面部の幅方向における両側から前記底面部に対して前記ＬＥＤ基板と反対側で且つ前記底面部と交差する方向に突出する一対の側面部とで形成されており、
前記電源装置は、前記取付部材の前記底面部又は前記側面部の何れかに取り付けられて、前記底面部と一対の前記側面部とで囲まれる空間に少なくとも一部が配置され、
少なくとも一方の前記側面部の外表面には凸部が設けられており、前記凸部の裏側に少なくとも前記電源装置に接続された電線が配置される溝が設けられていることを特徴とする照明器具。
【請求項２】
前記光源ユニットは、前記複数のＬＥＤを覆うようにして前記取付部材に取り付けられるカバー部材を有し、
前記カバー部材は、前記カバー部材の幅方向における両側から前記取付部材側に突出する一対の突壁部と、各々の前記突壁部の先端にそれぞれ設けられた一対の突起部とを有し、
前記カバー部材を前記取付部材に取り付けた状態では、少なくとも一方の前記突壁部の前記突起部が前記凸部を乗り越えて前記側面部の先端部と係合し、且つ、前記一方の前記突壁部が外側から前記凸部に当接することを特徴とする請求項１記載の照明器具。
【発明の詳細な説明】
【技術分野】
【０００１】
本発明は、照明器具に関するものである。
【背景技術】
【０００２】
従来より、天井に取り付けられる天井直付け型の照明器具が提供されている（例えば特許文献１参照）。この照明器具は、横長且つ長尺状に形成された器具本体と、係止部材を用いて器具本体に取り付けられる光源部と、光源部に点灯電力を供給する点灯装置とを備え、器具本体の略中央部には光源部を収容するための収容凹部が全長に亘って設けられている。また光源部は、横長且つ長尺状に形成された取付部材と、複数の発光素子がそれぞれ実装され取付部材の下面に並べて取り付けられる複数の基板と、複数の基板を覆うようにして取付部材に取り付けられるカバー部材とを有する。取付部材は、長尺且つ矩形板状に形成された底面部と、底面部の幅方向における両側から上方に突出する一対の側面部とで略Ｕ字状に形成されており、底面部と両側面部とで囲まれる空間からなる凹部を有している。この照明器具では、点灯装置は器具本体の収容凹部の底面部に取り付けられ、さらに一体に組み付けられた光源部は、その一部が器具本体の収容凹部に収容された状態で係止部材を用いて器具本体に取り付けられる。
【先行技術文献】
【特許文献】
【０００３】
【特許文献１】特開２０１２−３９９３号公報
【発明の概要】
【発明が解決しようとする課題】
【０００４】
上述の特許文献１に示した照明器具では、点灯装置が器具本体の収容凹部の底面部に取り付けられているため、取付部材の凹部を配線スペースとして利用することができる。しかしながら、点灯装置や光源部に接続された電線を仮保持させる構成が取付部材に設けられていないため、上記電線を取付部材に固定する際には上記電線を手で押さえた状態で固定しなければならず、作業性がよくなかった。
【０００５】
本発明は上記問題点に鑑みて為されたものであり、その目的とするところは、作業性を向上させた照明器具を提供することにある。
【課題を解決するための手段】
【０００６】
本発明の照明器具は、長尺状に形成された器具本体と、器具本体に対して着脱自在に取り付けられる光源ユニットとを備える。光源ユニットは、複数のＬＥＤが実装されたＬＥＤ基板と、複数のＬＥＤが器具本体と反対側を向くようにしてＬＥＤ基板を器具本体に取り付けるための取付部材と、複数のＬＥＤに点灯電力を供給する電源装置とを有する。取付部材は、長尺且つ矩形板状に形成され一面にＬＥＤ基板が取り付けられる底面部と、底面部の幅方向における両側から底面部に対してＬＥＤ基板と反対側で且つ底面部と交差する方向に突出する一対の側面部とで形成されている。電源装置は、取付部材の底面部又は側面部の何れかに取り付けられて、底面部と一対の側面部とで囲まれる空間に少なくとも一部が配置される。そして、少なくとも一方の側面部の外表面には凸部が設けられており、凸部の裏側に少なくとも電源装置に接続された電線が配置される溝が設けられている。
【０００７】
この照明器具において、光源ユニットは、複数のＬＥＤを覆うようにして取付部材に取り付けられるカバー部材を有し、カバー部材は、カバー部材の幅方向における両側から取付部材側に突出する一対の突壁部と、各々の突壁部の先端にそれぞれ設けられた一対の突起部とを有し、カバー部材を取付部材に取り付けた状態では、少なくとも一方の突壁部の突起部が凸部を乗り越えて側面部の先端部と係合し、且つ、一方の突壁部が外側から凸部に当接するのが好ましい。
【発明の効果】
【０００８】
電源装置や光源ユニットに接続された電線を取付部材に固定する際には、凸部の裏側に設けた溝に上記電線を沿わせることで上記電線を仮保持させることができるので、上記電線を手で押さえた状態で取付部材に固定する場合に比べて、作業性が向上するという効果がある。また、取付部材の側面部に凸部を設けることで、側面部の強度を高めることができるという効果もある。
【図面の簡単な説明】
【０００９】
【図１】本実施形態の照明器具の一例を示す断面図である。
【図２】同上の分解斜視図である。
【図３】同上の全体斜視図である。
【図４】同上から光源ユニットを取り外した状態の斜視図である。
【図５】同上に用いられる光源ユニットの一例を示す断面図である。
【図６】同上の別の例を示す断面図である。
【発明を実施するための形態】
【００１０】
以下に、照明器具Ａの実施形態について図１〜図６を参照して説明する。なお、以下の説明では特に断りがない限り、図１に示す向きにおいて上下左右の方向を規定し、さらに図１中の紙面に垂直な方向を前後方向と規定して説明を行う。
【００１１】
本実施形態の照明器具Ａは、図１〜図４に示すように、天井直付け型の照明器具であり、吊ボルト２００（図１参照）を用いて天井材１００に取り付けられる器具本体１と、器具本体１に対して着脱自在に取り付けられる光源ユニット２とを備える。
【００１２】
器具本体１は、板金に曲げ加工を施すことで長尺且つ上面（天井材１００との対向面）が開口する扁平な箱状に形成され、天井材１００と反対側（つまり下側）には光源ユニット２を収容するための矩形の収容凹部１１が器具本体１の全長に亘って設けられている。また、器具本体１の左右方向（幅方向）において収容凹部１１の両側には、収容凹部１１の開口端縁から延出し且つ外側に行くほど上側（天井材１００側）に傾斜する傾斜面１２，１２がそれぞれ設けられている。また、収容凹部１１の底面部１１１には、電線を通すための孔１１１ａが前後方向（長手方向）に沿って複数（図２では５個）設けられており、さらに前後方向における両端寄りの位置に吊ボルト２００を通すための孔１１１ｂがそれぞれ２個ずつ設けられている。さらに、器具本体１の前後方向における両端部には、図２〜図４に示すように、エンドキャップ３がそれぞれ取り付けられている。
【００１３】
光源ユニット２は、図２に示すように、複数（図２では２個）のＬＥＤ基板２２と、ＬＥＤ基板２２が取り付けられる取付部材２１と、ＬＥＤ基板２２を覆うようにして取付部材２１に取り付けられるカバー部材２３と、ＬＥＤ基板２２に所定の点灯電力を供給する電源装置２４と、端子台ブロック２５とを有する。
【００１４】
ＬＥＤ基板２２は、前後方向に長い矩形板状に形成されたプリント基板２２１からなり、プリント基板２２１の下面には複数のＬＥＤ（発光ダイオード）２２２が前後方向（長手方向）に沿って実装されている。また、一方（図２中の右側）のＬＥＤ基板２２の一端部（右端部）には、電源装置２４との間を電気的に接続するためのコネクタ２２３が実装されている。このコネクタ２２３には電線（図示せず）が接続されており、この電線の端部を電源装置２４に接続することでＬＥＤ基板２２と電源装置２４とが電気的に接続される。また、各ＬＥＤ基板２２において隣接するＬＥＤ基板２２と対向する端部には、電源供給用のコネクタ２２４がそれぞれ実装されている。そして、両ＬＥＤ基板２２，２２のコネクタ２２４，２２４を接続することで、一方（図２中の右側）のＬＥＤ基板２２から他方（図２中の左側）のＬＥＤ基板２２に電源を供給することができる。
【００１５】
取付部材２１は、板金に曲げ加工を施すことでＵ字状に形成され、長尺且つ矩形板状に形成された底面部２１１と、底面部２１１の左右方向（幅方向）における両端から上下方向（底面部２１１と直交する方向）に延出する一対の側面部２１２とで構成される。各側面部２１２の先端には、図５に示すように、互いに離れる方向に傾斜する傾斜部２１２ａがそれぞれ全長に亘って設けられている。また、一方（図５中の右側）の側面部２１２の外表面には、側面部２１２の一部を側方（図５中の右側）に突出させることで形成された凸部２１２ｂが設けられており、凸部２１２ｂと傾斜部２１２ａの間には、窪み２１２ｃが形成されている。底面部２１１の前後方向（長手方向）における一端部（図２中の右端部）には、ＬＥＤ基板２２と電源装置２４とを電気的に接続する上記電線を通すための孔２１１ａが設けられている。また、底面部２１１の前後方向における略中央には、底面部２１１の一部を上向きに突出させることで形成された矩形の凹部２１１ｂが設けられている。この凹部２１１ｂは、両ＬＥＤ基板２２，２２を取付部材２１に取り付けた状態で、コネクタ２２４と取付部材２１の底面部２１１との間の絶縁距離を確保するためのものである。なお、上述したＬＥＤ基板２２は、取付部材２１の底面部２１１の一部を切り起こすことで形成された係止爪２１１ｃ（図５参照）により取付部材２１の底面部２１１に固定される。
【００１６】
カバー部材２３は、拡散性を有する材料（例えば乳白色のアクリル樹脂）により上面（取付部材２１側の面）が開口する長尺状に形成され、左右方向（幅方向）において両端側から中央側に行くほど下側への突出量が大きくなるような凸レンズ形状の拡散面２３１を有している（図５参照）。また、カバー部材２３の左右方向における両端部には、図１に示すように、光源ユニット２を器具本体１に取り付けた状態で、上下方向において器具本体１の収容凹部１１の開口端縁と重なる延出部２３２がそれぞれ設けられている。また、カバー部材２３の左右方向において各延出部２３２の内側には、上側（取付部材２１側）に突出する突壁部２３３がそれぞれ全長に亘って設けられており、各突壁部２３３の先端には内向きに突出する突起部２３３ａがそれぞれ設けられている。なお、一方（図５中の右側）の突壁部２３３は、取付部材２１の側面部２１２の凸部２１２ｂと対向する部位が外側に湾曲している。
【００１７】
電源装置２４は、電源基板２４１と、電源基板２４１を収納するための収納ケース２４２とを有する。電源基板２４１は、前後方向に長い矩形板状に形成されたプリント基板２４１ａからなり、このプリント基板２４１ａには、少なくともＬＥＤ２２２の点灯電力を生成するために必要な回路部品（例えばトランスやダイオード、コンデンサなど）２４１ｂが実装されている。収納ケース２４２は、図５に示すように、一面（取付部材２１の底面部２１１との対向面）が開口し且つ前後方向に長い矩形箱状に形成されており、開口側が取付部材２１の底面部２１１と対向するようにして、例えばねじなどを用いて側面部２１２に取り付けられる。なおこのとき、電源装置２４は、取付部材２１の底面部２１１と両側面部２１２，２１２とで囲まれる空間からなる収容部２１３に少なくとも一部が配置される。
【００１８】
端子台ブロック２５は、矩形箱状に形成された端子台２５１と、端子台２５１を取付部材２１に取り付けるための取付金具２５２とを有する。端子台２５１には、天井材１００を通して室内側（下側）に露出する電源線（図示せず）が接続されるとともに、電源装置２４との間を電気的に接続する電線（図示せず）が接続される。そして、この端子台ブロック２５は、少なくとも一部が収容部２１３に収容された状態で、例えばねじなどを用いて取付部材２１に取り付けられる。
【００１９】
次に、光源ユニット２の組立手順について説明する。まず最初に、作業者は、電源装置２４及び端子台ブロック２５をそれぞれ取付部材２１の上面側に取り付け、さらに電源装置２４と端子台ブロック２５の間を電線により接続する。その後、作業者は、係止爪２１１ｃによりＬＥＤ基板２２を取付部材２１の底面部２１１に固定し、さらにＬＥＤ基板２２のコネクタ２２３から導出する電線を取付部材２１の底面部２１１に設けた孔２１１ａに通した後、その端部を電源装置２４に接続する。そして最後に、作業者は、開口側を上向きにした状態でカバー部材２３を取付部材２１に組み付ける。このとき、カバー部材２３の一方（図５中の右側）の突壁部２３３に設けた突起部２３３ａは、取付部材２１の側面部２１２に設けた凸部２１２ｂを乗り越えて傾斜部２１２ａの先端部と係合し、且つ、突壁部２３３は外側から凸部２１２ｂに当接する。またこのとき、カバー部材２３の他方（図５中の左側）の突壁部２３３に設けた突起部２３３ａは、取付部材２１の側面部２１２に設けた傾斜部２１２ａに摺動しながら上方に移動していき、所定の取付位置まで移動すると傾斜部２１２ａの先端部と係合する。以上のような手順に従って、光源ユニット２が組み立てられる。
【００２０】
続けて、照明器具Ａの施工手順について説明する。まず最初に、作業者は、室内側に露出する上記電源線を器具本体１に設けた孔１１１ａに通し、さらに天井材１００を通して室内側に露出する吊ボルト２００を孔１１１ｂに通した後、吊ボルト２００にナット３００をねじ込んで器具本体１を天井材１００に固定する。その後、作業者は、上記電源線を端子台２５１に接続し、少なくとも電源装置２４及び端子台ブロック２５が収容凹部１１に収容されるようにして、例えば器具本体１及び取付部材２１にそれぞれ設けた嵌合構造（図示せず）により光源ユニット２を器具本体１に取り付ける。以上のような手順に従って、照明器具Ａが天井に施工される。
【００２１】
ここで、図５は光源ユニット２を組み付けた状態を示している。この状態では、カバー部材２３の一方（図５中の右側）の突壁部２３３が取付部材２１の側面部２１２に設けた凸部２１２ｂに外側から当接しており、これにより取付部材２１に対してカバー部材２３をがたつきなく取り付けることができる。また、例えば電源装置２４に接続された電線４００を取付部材２１に固定する際に、凸部２１２ｂの裏側に設けた溝２１２ｄに電線４００を沿わせることで電線４００を仮保持させることができる。これにより、従来例のように電線４００を手で押さえなくてもいいので、電線４００を取付部材２１に固定する際の作業性が向上するという利点がある。さらに、凸部２１２ｂを側面部２１２に設けることで、側面部２１２の強度を高めることもできる。また、取付部材２１に対して電源装置２４をねじ固定する場合には、側面部２１２の傾斜部２１２ａと凸部２１２ｂの間に形成された窪み２１２ｃに固定ねじを配置することで、凸部２１２ｂよりも固定ねじが引っ込んだ状態でねじ固定することができる。
【００２２】
図６は本実施形態の照明器具Ａの別の例を示す断面図である。上述の実施例では、天井材１００に取り付けられる天井直付け型の照明器具について説明したが、本例のように、天井材１００に設けた埋込孔１００ａを通して天井裏に埋込配設される天井埋込型の照明器具であってもよい。
【００２３】
本例の照明器具Ａは、吊ボルト（図示せず）を用いて天井裏に配設される支持部材４と、支持部材４に取り付けられる反射板５と、反射板５に対して着脱自在に取り付けられる光源ユニット２とを備える。なお、光源ユニット２については上述の実施例と同様であり、ここでは説明を省略する。
【００２４】
反射板５は、板金に曲げ加工を施すことで長尺且つ下面が開口する扁平な箱状に形成され、反射板５の底面部には、光源ユニット２を収容するための矩形の収容凹部５１が反射板５の全長に亘って設けられている。また、反射板５の開口端縁には、側方に延出する鍔部５２が全周に亘って設けられており、天井裏に配設された支持部材４に反射板５を取り付けた状態では、鍔部５２が天井材１００の下面に当接する（図６参照）。ここに本例では、反射板５により器具本体が構成されている。
【００２５】
次に、照明器具Ａの施工手順について説明する。まず最初に、作業者は、天井材１００に設けた埋込孔１００ａを通して支持部材４を天井裏に配設し、天井裏に設けた吊ボルト（図示せず）に支持部材４を取り付ける。その後、作業者は、天井裏に配線された電源線（図示せず）を反射板５の収容凹部５１に設けた孔（図示せず）を通して室内側（下側）に引き出し、例えばねじなどを用いて反射板５を支持部材４に取り付ける。そして最後に、作業者は、上記電源線を端子台ブロック（図示せず）に接続し、少なくとも電源装置２４及び端子台ブロックが収容凹部５１に収容されるようにして、例えば反射板５及び取付部材２１にそれぞれ設けた嵌合構造（図示せず）により光源ユニット２を反射板５に取り付ける。以上のような手順に従って、照明器具Ａが天井裏に埋込配設される。
【００２６】
本例においても、例えば電源装置２４に接続された電線４００を取付部材２１に固定する際に、凸部２１２ｂの裏側に設けた溝２１２ｄに電線４００を沿わせることで電線４００を仮保持させることができる。これにより、従来例のように電線４００を手で押さえなくてもいいので、電線４００を取付部材２１に固定する際の作業性が向上するという利点がある。
【００２７】
なお本実施形態では、一方の側面部２１２のみに凸部２１２ｂを設けているが、両方の側面部２１２，２１２に凸部２１２ｂを設けてもよく、本実施形態に限定されない。また本実施形態では、電源装置２４を取付部材２１の側面部２１２に取り付けたが、底面部２１１に取り付けてもよく、本実施形態に限定されない。
【符号の説明】
【００２８】
１  器具本体
２  光源ユニット
２１  取付部材
２２  ＬＥＤ基板
２４  電源装置
２１１  底面部
２１２  側面部
２１２ｂ  凸部
２１２ｄ  溝
２２２  ＬＥＤ
４００  電線
Ａ  照明器具
【図１】
2014078427.tif 000003
【図２】
2014078427.tif 000004
【図３】
2014078427.tif 000005
【図４】
2014078427.tif 000006
【図５】
2014078427.tif 000007
【図６】
2014078427.tif 000008